(57)【特許請求の範囲】
【請求項１】
ドレンホースが接続され、または止水栓が装着される排水孔を前後に備えたベースの後部に室外熱交換器と、ドレン水をかき上げるスリンガリング付きプロペラファンと、導風板とを載置し、前記プロペラファンの下にドレン水を受ける凹部を設け、前部一側に圧縮機を、他側に電装品箱を、中央に前記プロペラファンを駆動するファンモータ等を夫々載置し、前端部中央に、室内機からの接続配管を接続する接続弁と同接続弁の下方に同接続弁からの結露水および室内機からドレン排水管等により誘導されたドレン水を受ける排水受皿とを突設させ、同排水受皿の水を前記凹部に導水する導水手段を設けてなり、前記底板を前後に開口し、側面に室外空気を吸い込む吸込口を設けた外胴に収納し、同外胴の前面開口に、前記ベースの前端部に立設した接続弁取付具に固定された前記接続弁および排水受皿に対応する第一切欠孔と、前記電装品箱に対応する第二切欠孔とを形成した前面カバーを取り付け、該第二切欠孔に前記電装品箱を覆う電装品箱カバーを被着してなり、
前記排水孔は、その一方または他方に前記ドレンホースを接続する際、これら一方または他方の排水孔とドレンホースとの間に接続管を介装して接続するとともに、他方または一方の前記排水孔に止水栓を装着するようにしたことを特徴とする空気調和機の室外機。
【請求項２】
前記接続管が、前記排水孔に係止する係止部および前記ドレンホースを挿着する突出部を備え、弾性を有して略筒状に形成されたことを特徴とする請求項１に記載の空気調和機の室外機。
【請求項３】
前記係止部が、前記排水孔に係止する略凹状断面の係止溝と、同係止溝の両側に設けられたフランジとからなることを特徴とする請求項２に記載の空気調和機の室外機。
【請求項４】
前記突出部の反対側に位置するフランジを、前記突出部側に位置するフランジに対し少許小さい外形により形成したことを特徴とする請求項２または請求項３に記載の空気調和機の室外機。
【請求項５】
前記突出部の反対側に位置するフランジを、先細状に形成したことを特徴とする請求項２乃至請求項４に記載の空気調和機の室外機。
【請求項６】
前記止水栓が、前記排水孔に係止する略凹状断面の係止溝と、同係止溝の両側に設けられたフランジとからなる係止部を備え、弾性を有して形成されたことを特徴とする請求項１に記載の空気調和機の室外機。
【請求項７】
前記止水栓の係止部を構成する一方のフランジを、他方のフランジに対し少許小さい外形により形成したことを特徴とする請求項２または請求項６に記載の空気調和機の室外機。
【請求項８】
前記止水栓の係止部を構成する一方のフランジを、先細状に形成したことを特徴とする請求項６または請求項７に記載の空気調和機の室外機。
【請求項９】
前記電装品箱を、前記前面カバーに形成した第二切欠孔に開口して臨ませたことを特徴とする請求項１に記載の空気調和機の室外機。
【請求項１０】
前記電装品箱カバーに、前面に突出し、下方に電線を挿通する開口を形成した突出部を設けたことを特徴とする請求項１に記載の空気調和機の室外機。
【請求項１１】
前記導水手段を、前記排水受皿を延出して形成したことを特徴とする請求項１に記載の空気調和機の室外機。
【請求項１２】
前記導水手段が、前記ベースの略中央部に前記排水受皿より排水されるドレン水を前記凹部に導水する導水溝からなることを特徴とする請求項１に記載の空気調和機の室外機。
【請求項１３】
前記排水受皿に、筒状の排水口を設け、排水受皿のドレン水を前記導水溝に排水するようにしたことを特徴とする請求項１２に記載の空気調和機の室外機。
【請求項１４】
前記排水受皿に下方に傾斜した樋を設け、該排水受皿のドレン水を前記導水溝に排水するようにしたことを特徴とする請求項１２に記載の空気調和機の室外機。
【請求項１５】
前記接続弁の室内配管接続部を上方に、弁開閉部を前方に向けて配置したことを特徴とする請求項１に記載の空気調和機の室外機。
【発明の詳細な説明】
【０００１】
【発明の属する技術分野】
本発明は、空気調和機の室外機に係わり、より詳細には、接続配管を接続する接続弁を取り付けた接続弁取付板を前面側に設けるとともに、ドレンホースに接続される排水孔をバースの前後に設けて、前記接続配管およびドレンホースを接続する作業を、室内側からでも容易に実施できるようにした構造に関する。
【０００２】
【従来の技術】
従来、図１（Ａ）および図１（Ｂ）で示すように、予め住宅の外側に空気調和機載置台51と屋根52を備えた空気調和機の取付窓50に取り付けられる分離型空気調和機の室外機40は、図９および図１０で示すように、ドレンホースが接続される排水孔を備えたベース１の後部に、室外熱交換器２と、プロペラファン３と、導風板４とを配設し、前部一側に圧縮機５と電装品箱カバー6aを被着した電装品箱６を、他側に二方弁7a、三方弁7b等の接続弁７を、中央に前記プロペラファン３を駆動するファンモータ８等を配設してなり、前記ベース１を側面に室外空気を吸い込む吸込口9aと、前記接続弁７に接続し、室内機30よりの配管31を接続する内部配管10をシール用パッキン11を介して挿通する挿通孔9bとを設けた外胴９に収納し、同外胴９の前面に前面カバー12を取り付けるようにしていた。
【０００３】
そして、前記内部配管10は、室外機本体とは別の貼付品として梱包しており、取り付け工事の際、前記前面カバー12を取り外して、この内部配管10を前記接続弁７に接続し、前記挿通孔9bにシール用パッキン11を介して挿通し、前記室内機30からの配管31を接続していた。
一方、前記室内機30からの電線32は、前記挿通孔9bから前記シール用パッキン11を介して挿入し、前記電装品箱カバー6aを取り外して前記電装品箱６内に接続後、前記電装品箱カバー6aを再度被着して前記前面カバー12を再度取り付けるようにしていた。
【０００４】
しかしながら、前記構成では、前記室内機30の配管接続を前記外胴９の側面で行うため、前記配管31の取り回しに自由度がなく、前記取付窓50の開口幅を広くしなければならないばかりか工事性にも問題を有していた。
【０００５】
また、前記室内機30の配管31を直接前記接続弁７に接続することができず、前記内部配管10、前記シール用パッキン11等を必要とし、部品点数が多く、部品コスト、工事コストが高いものとなっていた。
【０００６】
また、前記空気調和機載置台51の先端部寄りに排水部51a が設けられている場合、同排水部51a に、これに対応して前記ベース１の後部に設けられた排水孔1aに接続した前記ドレンホースを連ねることによってドレン水を円滑に排水できるようになる反面、前記排水部51a が設けられていない場合には、前記排水孔1aに接続した前記ドレンホースを引き回す作業が困難になってしまうという問題を有していた。
【０００７】
【発明が解決しようとする課題】
本発明は以上述べた問題点を解決し、接続配管を接続する接続弁を取り付けた接続弁取付板を前面側に設けるとともに、ドレンホースに接続される排水孔をベースの前後に設けて、前記接続配管およびドレンホースを接続する作業を、室内側からでも容易に実施できるようにした空気調和機の室外機を提供することを目的としている。
【０００８】
【課題を解決するための手段】
本発明は上述の課題を解決するため、ドレンホースが接続され、または止水栓が装着される排水孔を前後に備えたベースの後部に室外熱交換器と、ドレン水をかき上げるスリンガリング付きプロペラファンと、導風板とを載置し、前記プロペラファンの下にドレン水を受ける凹部を設け、前部一側に圧縮機を、他側に電装品箱を、中央に前記プロペラファンを駆動するファンモータ等を夫々載置し、前端部中央に、室内機からの接続配管を接続する接続弁と同接続弁の下方に同接続弁からの結露水および室内機からドレン排水管等により誘導されたドレン水を受ける排水受皿とを突設させ、同排水受皿の水を前記凹部に導水する導水手段を設けてなり、前記底板を前後に開口し、側面に室外空気を吸い込む吸込口を設けた外胴に収納し、同外胴の前面開口に、前記ベースの前端部に立設した接続弁取付具に固定された前記接続弁および排水受皿に対応する第一切欠孔と、前記電装品箱に対応する第二切欠孔とを形成した前面カバーを取り付け、該第二切欠孔に前記電装品箱を覆う電装品箱カバーを被着してなり、
前記排水孔は、その一方または他方に前記ドレンホースを接続する際、これら一方または他方の排水孔とドレンホースとの間に接続管を介装して接続するとともに、他方または一方の前記排水孔に止水栓を装着するようにした構成となっている。
【０００９】
また、前記接続管が、前記排水孔に係止する係止部および前記ドレンホースを挿着する突出部を備え、弾性を有して略筒状に形成された構成となっている。
【００１０】
また、前記係止部が、前記排水孔に係止する略凹状断面の係止溝と、同係止溝の両側に設けられたフランジとからなる構成となっている。
【００１１】
また、前記突出部の反対側に位置するフランジを、前記突出部側に位置するフランジに対し少許小さい外形により形成した構成となっている。
【００１２】
また、前記突出部の反対側に位置するフランジを、先細状に形成した構成となっている。
【００１３】
また、前記止水栓が、前記排水孔に係止する略凹状断面の係止溝と、同係止溝の両側に設けられたフランジとからなる係止部を備え、弾性を有して形成された構成となっている。
【００１４】
また、前記止水栓の係止部を構成する一方のフランジを、他方のフランジに対し少許小さい外形により形成した構成となっている。
【００１５】
また、前記止水栓の係止部を構成する一方のフランジを、先細状に形成した構成となっている。
【００１６】
また、前記電装品箱を、前記前面カバーに形成した第二切欠孔に開口して臨ませた構成となっている。
【００１７】
また、前記電装品箱カバーに、前面に突出し、下方に電線を挿通する開口を形成した突出部を設けた構成となっている。
【００１８】
また、前記導水手段を、前記排水受皿を延出して形成した構成となっている。
【００１９】
また、前記導水手段が、前記ベースの略中央部に前記排水受皿より排水されるドレン水を前記凹部に導水する導水溝からなる構成となっている。
【００２０】
また、前記排水受皿に、筒状の排水口を設け、排水受皿のドレン水を前記導水溝に排水するようにした構成となっている。
【００２１】
また、前記排水受皿に下方に傾斜した樋を設け、該排水受皿のドレン水を前記導水溝に排水するようにした構成となっている。
【００２２】
また、前記接続弁の室内配管接続部を上方に、弁開閉部を前方に向けて配置した構成となっている。
【００２３】
【発明の実施の形態】
以下、本発明の実施の形態について図面に基づいた実施例として説明する。
なお、上記従来技術において説明した内容については、重複を避けるために説明を省略する。
図１（Ａ）および図１（Ｂ）と、図２と、図３（Ａ）および図３（Ｂ）と、図４（Ａ）および図４（Ｂ）と、図５と、図６と、図７（Ａ）および図７（Ｂ）と、図８とにおいて、１は分離型空気調和機の室外機40を構成するベース、1aは同ベース１の前後に設けられ、少なくともその一方にドレンホース13を接続してドレン水を排出するための排水孔、２は前記ベース１の後部に載置された室外熱交換器、３はスリンガリング3a付きのプロペラファン、４は導風板である。
前記スリンガリング3a付きのプロペラファン３の下には、ドレン水を受ける凹部20を設け、同凹部20に溜まった水を前記スリンガリング3aでかき上げて前記室外熱交換器２に吹き付けるようにした構成となっている。
【００２４】
また、前記排水孔1aを前後に備えた前記ベース１の前部の一側には圧縮機５を、他側には前方を開口する電装品箱６を、中央には前記プロペラファン３を駆動するファンモータ８等を配設し、前端部中央に、室内機30からの配管を接続するための二方弁7a、三方弁7b等の接続弁７と、同接続弁７の下方に同接続弁７からの結露水および室内機30からドレン排水管33等により誘導されたドレン水を受ける排水受皿21とを突設させ、この排水受皿21の水を後述する導水手段により前記凹部20に導水するようにした構成となっている。
【００２５】
前記二方弁7a、三方弁7b等の接続弁７を、前記ベース１の前端部に立設した接続弁取付具22に固定し、同接続弁取付具22を後述する第一切欠孔に臨ませるようにし、前記接続弁７の室内配管接続部7cを上方に、弁開閉部7dを前方に向けて配置した構成となっている。
また、前記排水受皿21の水を前記凹部20に導びくための導水手段を、図７（Ａ）で示すように、前記排水受皿21の後部に筒状の排水孔21a を設け、前記ベース１の略中央部に、同排水孔21a から排出される水を前記凹部20に導水する導水溝24を設けることにより、排水受皿21で受けたドレン水等を前記凹部20に導水するようにしている。
また、この導水溝24を前記凹部20側に低く傾斜させて水の流れを良くしている。
また、図７（Ｂ）で示すように、下方に傾斜する樋21b を設け、前記排水受皿21のドレン水を導水溝24に排水するようにしてもよい。
【００２６】
そして、前記ベース１を、側面に室外空気を吸い込む吸込口9aを設けた外胴９に収納している。
そして、この外胴９の前面には、前記接続弁７を固定した前記接続弁取付具22および排水受皿21に対応する第一切欠孔12a と、前記電装品箱６に対応する第二切欠孔12b とを形成した前面カバー12を取り付け、前記第二切欠孔12b に前記電装品箱６を覆う電装品箱カバー25を被着するようにしている。
【００２７】
図８は本発明による分離型空気調和機の室外機40の他の実施例を示す要部拡大断面図である。
図８で示すように、前記電装品箱カバー25には室内機30から前記電装品箱30に配線接続される電線32を挿通する開口25a を下方に設けた突出部25b を設けている。
【００２８】
前記排水孔1aは、図３（Ａ）および図３（Ｂ）と図４（Ａ）および図４（Ｂ）とで示すように、その一方または他方に前記ドレンホース13を接続する際、これら一方または他方の排水孔1aとドレンホース13との間に接続管15を介装して接続するとともに、他方または一方の前記排水孔1aに止水栓14を装着するようにした構成となっており、
これによって、上記に従来技術で説明したような、前記排水孔1aに接続した前記ドレンホースを引き回す作業が困難になってしまうという問題を解決できるようになり、前記空気調和機載置台51に前記排水部51a が設けられていない場合であっても、室内側から、前記排水孔1aに前記接続管15を介装して前記ドレンホース13を接続できるようにした構造となる。
【００２９】
また、前記接続管15が、前記排水孔1aに係止するための後述する係止部を備え、前記ドレンホース13を挿着するための突出部15e および孔部15d を備え、弾性を有して略筒状に形成された構成となっており、
これによって、前記接続管15を、その弾性を利用して前記排水孔1aに簡便に係止できるとともに、前記突出部15e に前記ドレンホース13を容易に、且つ正確に挿着できるようにした構造となる。
【００３０】
また、前記接続管15の係止部が、図４（Ａ）および図４（Ｂ）で示すように、前記排水孔1aに係止する略凹状断面の係止溝15c と、同係止溝15c の両側に設けられたフランジ15a および15b とからなる構成となっており、
これによって、前記接続管15を、上記に説明したのと同様に、その弾性を利用して前記排水孔1aに簡便に、且つ正確に係止できるようにした構造となる。
【００３１】
また、前記突出部15e の反対側に位置するフランジ15a を、図４（Ａ）および図４（Ｂ）で示すように、前記突出部15e 側に位置するフランジ15b に対し少許小さい外形により形成した構成となっており、
これによって、前記接続管15を、その弾性を利用して前記排水孔1aにより円滑に、且つ正確に係止できるようにした構造となる。
【００３２】
また、前記突出部15e の反対側に位置するフランジ15a を、図４（Ａ）および図４（Ｂ）で示すように先細状に形成した構成となっており、
これによって、前記接続管15を、その弾性を利用して前記排水孔1aに更に円滑に、且つ正確に係止できるようにした構造となる。
【００３３】
また、前記止水栓14が、図３（Ａ）および図３（Ｂ）で示すように、前記排水孔1aに係止する略凹状断面の係止溝14c と、同係止溝14c の両側に設けられたフランジ14a および14b とからなる係止部を備え、弾性を有して形成された構成となっており、
これによって、前記止水栓14を、その弾性を利用して前記排水孔1aに簡便に、且つ正確に係止できるようにした構造となる。
【００３４】
また、前記止水栓14の係止部を構成する一方のフランジ14a を、図３（Ａ）および図３（Ｂ）で示すように、他方のフランジ14b に対し少許小さい外形により形成した構成となっており、
これによって、前記止水栓14を、その弾性を利用して前記排水孔1aにより円滑に、且つ正確に係止できるようにした構造となる。
【００３５】
また、前記止水栓14の係止部を構成する一方のフランジ14a を、図３（Ａ）および図３（Ｂ）で示すように先細状に形成した構成となっており、
これによって、前記止水栓14を、その弾性を利用して前記排水孔1aに更に円滑に、且つ正確に係止できるようにした構造となる。
【００３６】
次に、配管等の工事手順およびその動作等について説明する。
先ず、前記室内機30より出力される配管31、電線32およびドレン排水管33を束ねて、前記取付窓50を構成する枠体53の配管孔から室外に引き出し、前記配管31を所定の接続弁７（二方弁7aまたは三方弁7b）の室内配管接続部7cに接続し、必要に応じて弁開閉部7dに六角レンチ等の工具を挿入して弁を開く。
このとき、前記ドレン排水管33の排水口をドレン水が前記排水受皿21に滴下するよう該排水受皿21の上方に臨ませるようにする。
つぎに、前記電装品箱カバー25を外して前記電線32を、電装品箱６の（図示しない）端子板に接続し、同電線32が前記電装品箱カバー24の開口24a から挿入されるように再び前記電装品箱カバー25を取り付けるようにしている。
【００３７】
室内機30から導入されたドレン水は、前記ドレン排水管33を通して前記排水受皿21に滴下され、前記二方弁7aまたは前記三方弁7bから滴下する結露水と共に、前記導水溝24に導水されて前記凹部20に溜められる。
前記凹部20に溜められた水は前記スリンガリング3aによりかき上げられ、前記プロペラファン３により室外熱交換器２にスプラッシュされ、水の蒸発により熱を奪うことによって室外熱交換器２の熱交換効率を向上させるようにした構造となる。
【００３８】
【発明の効果】
以上説明したように、本発明による空気調和機の室外機によれば、ベースの前端部中央に、二方弁、三方弁等の接続弁を突設させたので、室内機よりの配管を直接、この接続弁に接続でき、内部配管等の部品が節約できると共に、配管接続作業が取付窓の中央部で行うことができるので工事性を向上させることができる。
また、上記に従来技術で説明したような、前記排水孔1aに接続した前記ドレンホースを引き回す作業が困難になってしまうという問題を解決できるようになり、前記空気調和機載置台51に前記排水部51a が設けられていない場合であっても、室内側から、前記排水孔1aに前記接続管15を介装して前記ドレンホース13を接続できるようにした空気調和機の室外機となる。
【００３９】
また、前記接続弁の下方に、同接続弁から滴下する結露水および、室内機からの配管、配線等と一緒に束ねられたドレン排水管により誘導されたドレン水を受ける排水受皿とを突設させ、同排水受皿の水をベース後部に設けた凹部に導水し、凹部に溜まった水をスリンガリングによりかき上げて室外熱交換器に吹きつけるので、ドレン水の処理と同時に、ドレン水を有効活用して熱交換効率を向上させることができる。
【００４０】
また、前記ベースの略中央部に、前記排水受皿より排水される水を前記凹部に導水する導水溝を設けたので、排水受皿で受けたドレン水等を部品の追加なしに凹部に導水することができる。
【００４１】
また、前記電装品箱を、前記前面カバーに形成した第二切欠孔に開口して臨ませ、この第二切欠孔に電装品箱カバーを被着するようにしたので、前面カバーを外さずに電装品箱カバーを外すことができる。
【００４２】
また、前記接続弁を、前記ベース後端部に立設した接続弁取付具に固定し、同接続弁取付具を前記第一切欠孔に臨ませたので、前記第一切欠孔から接続弁を突出すると共に、第一切欠孔を接続弁取付具により塞ぐことができる。
【図面の簡単な説明】
【図１】本発明および従来例による空気調和機の据付けを示す概略図で、（Ａ）は側面図であり、（Ｂ）は斜視図である。
【図２】本発明による空気調和機の室外機の一実施例を示す外観斜視図である。
【図３】本発明による空気調和機の室外機の要部説明図で、（Ａ）は止水栓の斜視図であり、（Ｂ）は止水栓を排水孔に装着した状態を示す断面図である。
【図４】本発明による空気調和機の室外機の要部説明図で、（Ａ）は接続管の斜視図であり、（Ｂ）は接続管を排水孔に装着した状態を示す断面図である。
【図５】本発明による空気調和機の室外機の一実施例を示す分解斜視図である。
【図６】本発明による空気調和機の室外機の一実施例を示す要部断面図である。
【図７】本発明による空気調和機の室外機の接続弁および排水受皿を示す要部拡大断面図である。
【図８】本発明による空気調和機の室外機の他の実施例を示す要部拡大断面図である。
【図９】従来の空気調和機の室外機を示す要部断面図である。
【図１０】従来の空気調和機の室外機を示す分解斜視図である。
【符号の説明】
１  ベース
1a  排水孔
２  室外熱交換器
３  プロペラファン
3a  スリンガリング
４  導風板
５  圧縮機
６  電装品箱
７  接続弁
7a  二方弁
7b  三方弁
7c  室内配管接続部
7d  弁開閉部
８  ファンモータ
９  外胴
9a  吸込口
12  前面カバー
12a   第一切欠孔
12b   第二切欠孔
13  ドレンホース
14  止水栓
14a ，14b   止水栓のフランジ
14c   止水栓の係止溝
15  接続管
15a ，15b   接続管のフランジ
15c   接続管の係止溝
15d   接続管の孔部
15e   接続管の突出部
20  凹部
21  排水受皿
21a   排水孔
21b   樋
22  接続弁取付具
24  導水溝
25  電装品箱カバー
25a   開口
25b   突出部
30  室内機
31  配管
32  電線
33  ドレン排水管
40  室外機
【図１】
0003826542.tif 000002
【図２】
0003826542.tif 000003
【図３】
0003826542.tif 000004
【図４】
0003826542.tif 000005
【図５】
0003826542.tif 000006
【図６】
0003826542.tif 000007
【図７】
0003826542.tif 000008
【図８】
0003826542.tif 000009
【図９】
0003826542.tif 000010
【図１０】
0003826542.tif 000011